(57)【要約】【課題】本体部の中心軸から重心がずれている器具本体を天井に対して安定した状態に設置することができる照明装置を提供する。【解決手段】照明装置10は、器具本体11および一対の天井取付部材30を備える。器具本体11は、中心軸ｚを中心として筒状に設けられた本体部16を有し、本体部16の中心軸ｚに対して一側方向ｆにずれた位置に重心を有する。一対の天井取付部材30は、本体部16の一側方向ｆに対して交差する方向の両側部にその交差する方向の外側へ向けて展開可能に設けられているとともに、先端側が一側方向ｆに延設されている。【選択図】図１
2019008959.tif 000002
【特許請求の範囲】
【請求項１】
中心軸を中心として筒状に設けられた本体部を有し、この本体部の中心軸に対して一側方向にずれた位置に重心を有する器具本体と；
前記本体部の前記一側方向に対して交差する方向の両側部にその交差する方向の外側へ向けて展開可能に設けられているとともに、先端側が前記一側方向に延設されている一対の天井取付部材と；
を具備することを特徴とする照明装置。
【請求項２】
前記天井取付部材は、前記本体部の上部側に上下方向回動可能に取り付けられている
ことを特徴とする請求項１記載の照明装置。
【請求項３】
前記器具本体は、前記本体部の上部に設けられ、先端側が前記一側方向に突出されているフィンを有し、
前記天井取付部材は、前記フィンの側部に回動した状態で前記フィンの形状に沿って配置される
ことを特徴とする請求項２記載の照明装置。
【請求項４】
前記天井取付部材は、前記本体部の下面に平行な天井当接部を有する
ことを特徴とする請求項２または３記載の照明装置。
【発明の詳細な説明】
【技術分野】
【０００１】
本発明の実施形態は、天井に設置される照明装置に関する。
【背景技術】
【０００２】
従来、天井板に設けられた埋込孔に埋め込み設置するダウンライト等の小形の照明装置がある。この照明装置では、天井取付構造として、光源を配置する円筒状の器具本体の側面に取り付けられた一対の取付ばねを用いており、器具本体とともにこの器具本体の側面に沿って弾性変形するように格納した一対の取付ばねを埋込孔に挿入することにより、天井板上で一対の取付ばねが側方に展開して器具本体を天井板に支持するように構成されている。
【０００３】
取付ばねは、基端側が器具本体の側面の下部側に取り付けられており、先端側が器具本体の外径方向に直線状に展開し、埋込孔の内縁部に係合して器具本体を支持するのが一般的である。
【０００４】
また、照明装置は、器具本体の中心軸に対して重心がずれている場合がある。重心のずれがわずかであれば、器具本体の外径方向に直線状に展開する一対の取付ばねでも器具本体の設置が可能なこともあるが、重心のずれが大きいと、器具本体の外径方向に直線状に展開する一対の取付ばねでは支えきれず、器具本体が斜めになるなど、器具本体の設置状態が安定しないおそれがある。
【先行技術文献】
【特許文献】
【０００５】
【特許文献１】特開２０１１−４４４１２号公報
【発明の概要】
【発明が解決しようとする課題】
【０００６】
本発明が解決しようとする課題は、本体部の中心軸から重心がずれている器具本体を天井に対して安定した状態に設置することができる照明装置を提供することである。
【課題を解決するための手段】
【０００７】
実施形態の照明装置は、器具本体および一対の天井取付部材を備える。器具本体は、中心軸を中心として筒状に設けられた本体部を有し、本体部の中心軸に対して一側方向にずれた位置に重心を有する。一対の天井取付部材は、本体部の一側方向に対して交差する方向の両側部にその交差する方向の外側へ向けて展開可能に設けられているとともに、先端側が一側方向に延設されている。
【発明の効果】
【０００８】
本発明によれば、本体部の中心軸から重心がずれている器具本体を天井に対して安定した状態に設置することが期待できる。
【図面の簡単な説明】
【０００９】
【図１】一実施形態を示す照明装置の天井取付部材が展開状態の斜視図である。
【図２】同上照明装置の天井取付部材が格納状態の斜視図である。
【図３】同上照明装置の天井取付部材が展開状態の側面図である。
【図４】同上照明装置の天井取付部材が展開状態の正面図である。
【発明を実施するための形態】
【００１０】
以下、一実施形態を、図１ないし図４を参照して説明する。
【００１１】
照明装置10は、天井板１に設けられた円形の埋込孔２に埋め込み設置されるダウンライトである。照明装置10は、例えば直径５０mm程度の小形ダウンライトである。
【００１２】
照明装置10は、器具本体11、この器具本体11内に配置される光源12、器具本体11の両側面（外周面）に設けられた一対の天井取付構造13等を備えている。さらに、照明装置10は、器具本体11とは別置きで光源12に点灯電源を供給する図示しない電源ユニットを備えている。光源12と電源ユニットとは接続ケーブルで電気的に接続される。
【００１３】
まず、器具本体11は、例えばアルミニウム等の金属材料により、一体に形成され、あるいは複数に分割形成されて一体的に組み立てられている。
【００１４】
器具本体11は、円筒状の本体部16、およびこの本体部16の上部に設けられた放熱部17を備えている。
【００１５】
本体部16は、上下方向に沿った中心軸ｚを中心とした円筒状で、下面側に照射開口19が形成され、上面側に光源12を配置する光源配置部20が形成されている。本体部16の下部には外径方向に突出するフランジである化粧枠部21が設けられている。なお、本体部16の上部には、本体部16内の光源12に接続する接続ケーブルを通す配線孔が形成されている。また、本体部16は、中心軸ｚを中心とした角筒状でもよい。
【００１６】
放熱部17は、本体部16の上面から突設された複数のフィン23を備えている。フィン23は、平板状で、所定の間隔をあけて平行に並設されている。フィン23は、先端側が本体部16の中心軸ｚに対して一側方向ｆに向けて突出する略Ｌ字形または略Ｃ字形に形成されている。フィン23は、本体部16の上面から一側方向ｆへ向けた斜め上方に突出する立上げ部24、およびこの立上げ部24の上端から一側方向ｆへ向けて突出する突出部25を有している。突出部25は、本体部16の下面と平行に突出されている。
【００１７】
そして、器具本体11は、フィン23の先端側が本体部16の中心軸ｚに対して一側方向ｆに突出する形状であるため、器具本体11の高さを低くし、天井裏の高さスペースが少なくとも設置できるようにしており、そのうえで、フィン23の放熱面積を広くし、放熱性能を確保している。そのため、器具本体11は、本体部16の中心軸ｚに対して、フィン23が突出する一側方向ｆにずれた位置に重心を有している。
【００１８】
また、光源12は、発光素子を備えている。発光素子は、例えばＬＥＤや有機ＥＬ等が用いられる。光源12は、本体部16内で光源配置部20に配置され、本体部16の下面の照射開口19に対向されている。
【００１９】
なお、本体部16の内側には、光源12を覆う透光性を有するカバー、光源12からの光を制御するレンズや反射体等の光学部品の少なくともいずれか１つが配置されている。
【００２０】
また、各天井取付構造13は、軸支部28、回動軸29、天井取付部材30、およびばね31等を備えている。
【００２１】
軸支部28は、天井取付部材30を上下方向回動可能に支持するための回動軸29を軸支する。軸支部28は、本体部16の一側方向ｆに対して交差する両側部でかつ本体部16の上部側に一体に設けられている。すなわち、軸支部28は、本体部16の上部側とフィン23の側面下部側との間に一体に設けられている。軸支部28は、回動軸29を、本体部16の中心軸ｚに対して直交するとともに本体部16の下面およびフィン23の側面に対してそれぞれ平行に軸支する。軸支部28は、平面視で本体部16の外径範囲の内側に設けられている。
【００２２】
回動軸29は、軸支部28を挿通し、中間部が軸支部28に支持され、両端部が天井取付部材30を支持する。回動軸29は、本体部16の軸支部28に、本体部16の中心軸ｚに対して直交するとともに本体部16の下面およびフィン23の側面に対してそれぞれ平行となるように軸支される。回動軸29により、天井取付部材30を本体部16の上部側に上下方向に回動可能に支持する。回動軸29は、平面視で本体部16の外径範囲の内側に設けられている。
【００２３】
さらに、天井取付部材30は、金属または樹脂の少なくともいずれか一方によって板材に形成されている。天井取付部材30には、例えば、金属の場合、板ばねを用いてもよい。
【００２４】
天井取付部材30は、回動軸29に上下方向回動可能に取り付けられる回動軸取付部33を有している。天井取付部材30は、回動軸29を中心として本体部16の一側方向ｆに対して交差する方向に展開可能としている。
【００２５】
天井取付部材30は、回動軸取付部33から延設されているとともに、先端側が本体部16の中心軸ｚに対して一側方向ｆに向けて突出する略Ｌ字形または略Ｃ字形に形成されている。天井取付部材30は、回動軸取付部33から一側方向ｆへ向けた斜め方向に突出するアーム部（基端部）34、およびこのアーム部34から一側方向ｆへ向けて突出する天井支え部（先端部）35を有している。天井支え部35の下縁部には、本体部16の下面に平行な天井当接部36が設けられている。そして、天井取付部材30は、フィン23の側面の形状に相似した形状に形成され、側面視でフィン23の外形領域の内側に配置される形状に形成されている。
【００２６】
天井取付部材30は、天井取付部材30が側方へ向けて回動して器具本体11の側方に展開する展開位置（図１、図３および図４参照）と、天井取付部材30が上方へ向けて回動してフィン23の側面に沿った格納位置（図２参照）との間で、上下方向回動可能としている。天井取付部材30は、格納位置において、フィン23の側部に位置し、フィン23の形状に沿って配置される。天井取付部材30は、展開位置において、本体部16の側部に位置し、フィン23よりも下側に配置されている。なお、天井取付部材30の展開位置は、天井板１の厚みに応じて変化する。
【００２７】
なお、天井当接部36には、天井板１を保護するためにゴム、シリコーン、ビニール等の柔軟性を有するカバーを被着してもよい。
【００２８】
さらに、ばね31は、例えばトーションばねが用いられている。ばね31は、ばね線材の中間部が巻回されたコイル部38、このコイル部38の両端から突出されたばね線材の両方の端部39，40を有している。コイル部38は、ねじ41によって回動軸29に取り付けられている。ばね31の一方の端部39は本体部16（フィン23）側に取り付けられ、他方の端部40は天井取付部材30に取り付けられている。そして、ばね31は、天井取付部材30の先端側が器具本体11の側方へ展開する回動方向に向けて天井取付部材30を付勢している。
【００２９】
また、電源ユニットは、交流電源などの外部電源を直流電源等の点灯電源に変換して光源12に供給する。電源ユニットは、接続ケーブルによって光源12と電気的に接続されている。
【００３０】
そして、このように構成された照明装置10では、梱包時に、一対の天井取付部材30をばね31の付勢に抗して図１、図３および図４に示す展開位置に回動させた状態で梱包する。これにより、輸送時の天井取付部材30の破損を防止でき、かつ、梱包容積を小さくでき、梱包材の削減、搬送コストの削減を図ることができる。
【００３１】
また、照明装置10を天井板１に設置するには、まず、天井板１の下方において埋込孔２の位置に配線されている電源線を電源ユニットに接続し、この電源ユニットを埋込孔２に挿入して天井板１上に載置する。
【００３２】
一対の天井取付部材30をばね31の付勢に抗して図２に示す格納位置に回動させる。すなわち、回動軸29を中心とするとともにばね31の付勢に抗して天井取付部材30を上方に向けて回動させ、天井取付部材30をフィン23の側面に沿った格納位置に回動させる。一対の天井取付部材30を格納位置に回動させることにより、器具本体11の側方への一対の天井取付部材30の突出量が最小限となる。なお、天井取付部材30の先端側をフィン23側に弾性変形させ、天井取付部材30の先端側をフィン23に沿わせることにより、器具本体11の側方への一対の天井取付部材30の突出量をより小さくできる。
【００３３】
そして、一対の天井取付部材30を格納位置に手で押さえた状態で、フィン23の突出部25の先端側を上方に向けて天井板１の埋込孔２に挿入し、フィン23の突出部25が天井板１の埋込孔２に挿入されたら、突出部25が天井板１の上面側（裏面側）と平行となる水平方向に回動させながら、フィン23の立上げ部24を天井板１の埋込孔２に挿入する。このとき、格納位置にある天井取付部材30は、フィン23の形状に沿って配置されているため、天井板１に引っ掛からずに、埋込孔２にスムーズに挿入できる。
【００３４】
フィン23とともに一対の天井取付部材30を天井板１の埋込孔２に挿入することで、一対の天井取付部材30の押えを解くことになるため、ばね31のばね力によって一対の天井取付部材30が図１、図３および図４に示す展開位置へ向けて回動する。
【００３５】
展開位置へ向けて回動する一対の天井取付部材30は、その先端側が器具本体11の側方に突出しながら、天井板１の上面に当接する。このとき、天井取付部材30は本体部16の上部側に取り付けられているため、天井取付部材30の天井支え部35（天井当接部36）が天井板１の埋込孔２から少し離反した天井板１の上面に当接する。なお、天井板１の厚みに応じて、天井板１の上面に当接する天井取付部材30の天井支え部35（天井当接部36）の位置が変化する。
【００３６】
その後は、天井板１に当接した天井取付部材30に対して、ばね31のばね力によって器具本体11を上方へ引き上げることになり、本体部16が天井板１の埋込孔２に挿入され、化粧枠部21が天井板１の下面に当接する。
【００３７】
これにより、ばね31のばね力によって、化粧枠部21と展開位置に回動した一対の天井取付部材30との間で天井板１を挟み込んだ状態で、器具本体11が天井板１に保持され、器具本体11の設置が完了する。
【００３８】
また、電源ユニットから光源12に点灯電源を供給することにより、光源12が点灯し、光源12からの光が器具本体11の下面の照射開口19から照明空間に照射される。
【００３９】
点灯時に光源12が発生する熱は、放熱部17の複数のフィン23に伝わり、天井板１の上方空間の空気中に放熱される。
【００４０】
このとき、器具本体11の周囲の空気が複数のフィン23の立上げ部24の側面および突出部25の下面から複数のフィン23間に流れ込み、複数のフィン23で暖められた空気がフィン23の上面から上昇する。
【００４１】
その際、展開位置に位置する一対の天井取付部材30は、フィン23よりも下側に位置するため、複数のフィン23間へ流れ込む空気の流れを妨げることがなく、放熱性能を確保できる。
【００４２】
そして、本実施形態の照明装置10では、本体部16の中心軸ｚから重心が一側方向ｆにずれている器具本体11を、一対の天井取付部材30で天井に取り付ける構成であっても、一対の天井取付部材30を本体部16の一側方向ｆに対して交差する両側部にその交差する方向の外側へ向けて展開可能に設けるとともに、一対の天井取付部材30の先端側を一側方向ｆに延設することにより、一対の天井取付部材30によって器具本体11を天井板１に対して支えることができ、器具本体11を安定した状態で設置することができる。
【００４３】
また、一対の天井取付部材30を本体部16の上部側に上下方向回動可能に取り付けているため、天井取付部材30の先端側が天井板１の埋込孔２から少し離反した天井板１の上面に当接することになり、一対の天井取付部材30の踏ん張りが利き、器具本体11を安定した状態に支えることができる。
【００４４】
さらに、天井取付部材30は、本体部16の下面と平行な天井当接部36を有するため、この天井当接部36が天井板１の上面に沿って当接し、器具本体11を安定した状態に支えることができる。
【００４５】
また、天井取付部材30は、フィン23の側部に回動した格納位置で、フィン23の形状に沿って配置されるため、フィン23とともに天井板１の埋込孔２にスムーズに挿入することができ、設置性を良好にできる。そのため、照明装置10の小形化に伴い、器具本体11の直径および天井板１の埋込孔２の内径が小さくなっても、天井板１の埋込孔２への天井取付部材30の挿入が可能で、照明装置10の小形化に対応できる。
【００４６】
さらに、本体部16への天井取付部材30の取付部分（軸支部28、回動軸29および回動軸取付部33等）が平面視で本体部16の外径範囲の内側に設けられているため、照明装置10の小形化に対応できる。
【００４７】
また、天井取付部材30は、展開位置において、フィン23よりも下側に位置するため、フィン23に流れる空気の流れを妨げず、フィン23による放熱の影響が少なくできる。
【００４８】
また、ばね31を用いることにより、天井取付部材30を展開位置に確実に展開させることができるとともに、器具本体11を天井板１に確実に保持することができる。
【００４９】
なお、照明装置10の放熱性能のさらなる向上のためには、フィン23の突出部25の先端側の長さを長くすることで対応可能となる。この場合、それに合わせて、天井取付部材30の先端側の長さを長くすれば、器具本体11を安定した状態に支えることができるとともに、設置性にも問題がない。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
10    照明装置
11    器具本体
16    本体部
23    フィン
30    天井取付部材
36    天井当接部
ｆ    一側方向
ｚ    中心軸
【図１】
2019008959.tif 000003
【図２】
2019008959.tif 000004
【図３】
2019008959.tif 000005
【図４】
2019008959.tif 000006